(57)【要約】【課題】    意匠性に優れ、かつ防水が可能なグレモン受けを備えた開口部装置を提供する。【解決手段】  左右の縦枠４０と、上下の横枠とで形成される枠体と、枠体に取り付けた戸体とを備え、戸体にはグレモン錠の把手と、把手によって操作される移動部材と、係止手段とを設け、移動部材を横枠に、係止手段を縦枠のいずれか一方の戸体の戸先框に対向する面４０ａに係止させることによって施錠させる構成を有し、縦枠の戸体の戸先框に対向する面には孔１０１を形成させ、孔には被係止手段を係止手段と係止可能となるよう備え、被係止手段は、孔を覆い隠すためのグレモン受け１００と、グレモン受けに固定される裏板１１０とで構成する。【選択図】      図２
2005061093.tif 000002
【特許請求の範囲】
【請求項１】
左右の縦枠と、上下の横枠とで形成される枠体と、
前記枠体に取り付けられた戸体とを備え、
前記戸体にはグレモン錠の把手と、該把手によって操作される移動部材と、係止手段とが設けられており、前記移動部材が前記横枠に、前記係止手段が前記縦枠のいずれか一方の戸体の戸先框に対向する面に係止されることによって施錠される構成を有し、
前記縦枠の戸体の戸先框に対向する面には孔が形成され、前記孔には被係止手段が前記係止手段と係止可能となるよう備えられ、
前記被係止手段は、前記孔を覆い隠すためのグレモン受けと、該グレモン受けに固定される裏板とによって構成されている
ことを特徴とした開口部装置。
【発明の詳細な説明】
【技術分野】
【０００１】
本発明は、グレモン錠が取り付けられたドア等の戸体を備えた開口部装置に関する。
【背景技術】
【０００２】
玄関等に設けられる戸体には、サムターン等の施錠装置に加えてグレモン錠が取り付けられている場合が多い。グレモン錠は、戸体が閉じられている状態において戸体を枠側に引き寄せて施錠をすることが可能である。そのため、気密状態を保つことができ、寒冷地では防犯、防寒の両面から普及率が高い。グレモン錠で戸体を施錠するには、戸体の戸先に設けたレバーやノブ等の把手を操作し、ロック用のロッドを上下動させる。ロッドを上下動させると、ロッドは戸体の上下面から横枠である上下枠の係止孔等に係止され、戸体のガタつきが防止される。また、ロッドによって摺動が防止されると同時に、戸先框に設けられた係止片が被係止手段であるグレモン受けに係止され、戸体が枠体の室内方向に引き寄せられて固定される。このように、ロッド、および係止片を所定の位置に固定させることによって施錠を行う。なお、グレモン受けは、縦枠に加工された所定の大きさの孔に取り付けられている。
【０００３】
特許文献１には、レバー操作によりロッドが上下の横枠に係止され、かつ係止片が縦枠に設けられたグレモン受けに係止される戸体が開示されている。
【０００４】
また、公知の技術として、特許文献１に示されるようなグレモン受けには、図６に示すように枠体３１０の戸体の戸先框に対向する面３１０ａの裏面に裏板３２０を設ける場合が多く、戸体の戸先框に対向する面３１０ａには、グレモン受け３００、および裏板３２０を取り付けるための孔３１１が設けられている。従ってグレモン受け３００は、グレモン受け３００に形成されたねじ孔３０１より、ねじ３０２を螺合させることによって孔３１１の左半分、および上下部を覆うように裏板３２０に留められている。
【特許文献１】特開平１１−２１０２９１号公報
【発明の開示】
【発明が解決しようとする課題】
【０００５】
しかし、縦枠に設けられたグレモン受けは、戸体が開けられている状態において外観にさらされるが、縦枠に設けられた孔を通じて枠体内部が見えてしまうため見栄えが悪いことに加え、さらには水撒きの最中等において、孔から多量の水が入り躯体内へ侵入するおそれがあった。
【０００６】
そこで、本発明は、意匠性に優れ、かつ防水が可能なグレモン受けを備えた開口部装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１の発明は、左右の縦枠（４０、３０）と、上下の横枠（１０、２０）とで形成される枠体（５０）と、枠体に取り付けられた戸体（６０）とを備え、戸体にはグレモン錠の把手（７１）と、把手によって操作される移動部材（７２、７３）と、係止手段（８０、８１）とが設けられており、移動部材が横枠に、係止手段が縦枠のいずれか一方の戸体の戸先框に対向する面（４０ａ）に係止されることによって施錠される構成を有し、縦枠の戸体の戸先框に対向する面には孔（１０１）が形成され、孔には被係止手段（１００、１１０）が係止手段と係止可能となるよう備えられ、被係止手段は、孔を覆い隠すためのグレモン受け（１００）と、グレモン受けに固定される裏板（１１０）とによって構成されていることを特徴とした開口部装置（２００）を提供して課題を解決する。
【０００９】
請求項１の発明によれば、縦枠に設けられた孔を完全に覆うように、グレモン受けと裏板とが取り付けられているため、戸体が開けられて縦枠が外観される状況においても、孔を通して枠体内部が露呈するようなことなく見栄えのよい状態とすることが可能である。
【００１０】
また、孔が覆われているため、雨水等が孔を通じて縦枠内部に侵入するおそれもなく、快適な状態を保つ開口部装置を提供することが可能である。
【発明の効果】
【００１１】
請求項１の発明によれば、縦枠に設けられた孔を完全に覆うように、グレモン受けと裏板とが取り付けられているため、戸体が開けられて縦枠が外観される状況においても、孔を通して枠体内部が露呈するようなことなく見栄えのよい状態とすることが可能である。
【００１２】
また、孔が覆われているため、雨水等が孔を通じて縦枠内部に侵入するおそれもなく、快適な状態を保つ開口部装置を提供することが可能となる。
【００１３】
本発明のこのような作用及び利得は、次に説明する実施の形態から明らかにされる。
【発明を実施するための最良の形態】
【００１４】
以下本発明を図面に示す実施形態に基づき説明する。
【００１５】
図１は、本発明に係る開口部装置の一例としての片開き扉２００が、閉じられている様子を概略的に示した室内側からの正面図である。片開き扉２００は、建物（図示せず。）の玄関等の所定箇所に取り付けられる枠体５０と、枠体内に取り付けられた戸体６０とを備えている。
【００１６】
枠体５０は、上枠１０、下枠２０、右縦枠３０、および左縦枠４０によって構成されており、右縦枠３０には蝶番３１〜３３が取り付けられている。また、蝶番３１〜３３に支持されて、戸体６０が枠体５０内部に開閉可能となるように納められている。
【００１７】
戸体６０は、上下の框６１、および６２と、右縦框６３と、左縦框６４と、これらの框に固定されたガラスパネル６５によって構成されており、左縦框６４にはグレモン錠７０が取り付けられている。
【００１８】
グレモン錠７０の室内側には把手７１が設けられている。把手７１を所定の方向に回動させることにより箱錠７０から上下方向に形成された第一移動部材７２、および第二移動部材７３（以下において「第一ロッド７２」および「第二ロッド７３」という。）が上枠１０に設けられた第一係合孔７４ａ、および下枠２０に設けられた第二係合孔７５ａに係合離脱される。第一ロッド７２、および第二ロッド７３が、それぞれの係合孔７４ａ、７５ａに係合された際には、上枠１０、および下枠２０に設けられたロッド受け具７４、および７５に当接される。
【００１９】
さらに第一ロッド７２、および第二ロッド７３の移動により、箱錠７０の上下方向に設けられ、二点締まりとなるように形成された係止手段８０、および８１（以下において「係止片８０、および８１」という。）が、左縦枠４０の上下方向に形成された被係止手段１００、および１２０（以下において「グレモン受け１００、および１２０」という。）に係合される。この係合によって、戸体６０が左枠４０に引き寄せられつつ施錠される。
【００２０】
また、グレモン錠７０とともに、戸体６０には鍵部９０が設けられており、つまみ部９１を所定の方向に回動させることにより、デッドボルト９２が受座（図示せず。）に係合離脱される。よって、グレモン錠７０と、および錠部９０と、これらの周辺部材とを備えることによって、二重施錠が可能となっている。
【００２１】
上述した開口部装置２００は、左縦枠４０に設けられているグレモン受け１００、および１２０と、その周辺部材（図２参照）に最大の特徴を有している。以下、図２〜図５を参照しつつその構造を詳述する。
【００２２】
図２は、左縦枠４０の横断面図であり、図１おけるII−II線に沿った断面を示している。なお、図２において左縦枠４０を右側に示して説明する。また、以下のII−II線に沿った断面図の説明は、図１おけるII´−II´線に沿った断面図と同一であるため、II´−II´線に沿った断面図説明は省略する。図１においては係止片８０の図示を省略する。
【００２３】
グレモン受け１００が設けられる左縦枠４０の戸体の戸先框に対向する面４０ａには、矢線Ｌ１で示した長さ分の幅で形成された孔１０１が設けられている。孔１０１には裏板１１０が挿入されて戸体の戸先框に対向する面４０ａの裏面に当接されている。裏板１１０は、ねじ孔１２１ａが設けられた本体１２０と、本体１２０の室内側端部から、戸体の戸先框に対向する面４０ａを挟むように室内側に略９０度折り曲げられて設けられた、突板１３０とによって形成されている。
【００２４】
戸体の戸先框に対向する面４０ａにはグレモン受け１００が取り付けられている。グレモン受け１００は、グレモン受け１００に設けられているねじ孔１０２ａと、同軸上に配置された上記裏板１１０のねじ孔１２１ａとがねじ留めされて取り付けられる。グレモン受け１００は、戸体の戸先框に対向する面４０ａに取り付けられている取り付け面１０３の中央よりやや室外側の位置から、戸先側へ垂直に延設された第一スペース板１０４ａと、第一スペース板１０４ａの先端が、室内方向へ略垂直に折り曲げられて形成された係合面１０５と、係合面１０５の室内側先端を右方向に略９０度折り曲げて形成されている第二スペース板１０４ｂとによって形成されている。第二スペース板１０４ｂの先端部は、戸体の戸先框に対向する面４０ａに対して略垂直となるように戸体の戸先框に対向する面４０ａから延設された突起部４０ｂと当接されており、グレモン受け１００は、切断面が略正方形の筒状形状となるよう形成されている。
【００２５】
図３は、裏板１１０を概略的に示した正面図、および側面図である。（ａ）には正面図が示されている。裏板１１０を形成する本体１２０には、略長方形の当接面１２２が形成されており、当接面１２２の長手方向の辺１２２ａには中央部を切り欠かれた切り欠き部１２２ｂが上下方向に形成されている。上部に設けられた切り欠き部１２２ｂと、下部に設けられた切り欠き部１２２ｂとの間には、当接面１２２から右方向に延設された突板１３０が設けられている。また、当接面１２２の上部、および下部には、ねじ孔１２１ａ、および１２１ｂが形成されている。
【００２６】
図３（ｂ）には、図３（ａ）に示されている矢印方向に裏板１１０を９０度回転させた時の左側面図を示す。当接面１２２の中央部からは、辺１２２ａよりわずかに戸先方向に延設され、さらに室内側（紙面奥側）に延設されている突板１３０が設けられている。また、上下部に設けられている辺１２２ａからは、第一側面１２３ａ、および１２３ｂが当接面１２２に対して略垂直となるよう形成されている。第一側面１２３ａ、および１２３ｂには、当接面１２２の側端部から形成された第二側面１２４が第一側面１２３ａ、および１２３ｂと対向するように形成されている。
【００２７】
また、当接面１２２の上下方向にはねじ孔１２１ａ、および１２１ｂが形成されており、ねじ孔１２１ａ、および１２１ｂのそれぞれの縁部、１２１ａ´、および１２１ｂ´は、先端面が折り返されている。
【００２８】
さらに図３（ｃ）には図３（ｂ）に示されている矢印方向から裏板１１０を眺めた時の上面図を示す。本体１２０に形成されている当接面１２２の中央部よりやや室内よりの位置からは、戸先方向へわずかに延設され、さらに先端は室内方向へ略９０度折り曲げられて形成された、突板１３０が設けられている。図中の矢線Ｌ２で示した突板１３０の幅は、本体１２０の幅よりさらに長く設けられている。なお、本体１２０と、突板１３０との間に設けられた隙間１２６は、上記のとおり、枠体の戸体の戸先框に対向する面４０ａの厚さ分となるよう形成されており、裏板１１０の取り付け時には戸体の戸先框に対向する面４０ａに当接される。
【００２９】
図４は、グレモン受け１００が左縦枠４０へ取り付けられる工程の連続図である。なお、図４においては係止片８０の図示を省略する。
【００３０】
図４（ａ）は、グレモン受け１００が設けられる左縦枠４０の戸体の戸先框に対向する面４０ａに形成された、孔１０１を示す。孔１０１は、左縦枠４０の幅方向において中央部よりやや室外側に位置し、左縦枠４０の長手方向に長い、略長方形となるよう形成されている。
【００３１】
図４（ｂ）には、裏板１１０を取り付け位置に移動させた様子が示されている。矢線で示した裏板１１０の本体１２０の幅Ｌ３は、図示のとおり孔１０１の幅より短いため、孔１０１から上下端部を順番に差し入れることによって裏板１１０を戸体の戸先框に対向する面４０ａの裏面に当接させることが可能となっている。
【００３２】
また、本体１２０が孔１０１に差し入れられることによって、突板１３０は戸体の戸先框に対向する面４０ａに当接される。このように、本体１２０の当接面１２２によって戸体の戸先框に対向する面４０ａの裏面が、突板１３０によって戸体の戸先框に対向する面４０ａが挟持されることによって、左縦枠４０に隙間なく装着されている。また、裏板１１０が左縦枠４０へ装着されることにより、本体１２０、および本体１２０より形成された突板１３０によって、孔１０１がほぼ覆われる。
【００３３】
さらに、図４（ｃ）には、グレモン受け１００が左縦枠４０に装着された、図１におけるIV−IV線に沿った断面図が図示されている。グレモン受け１００は、グレモン受け１００の上下端部に設けられているねじ孔１０２ａ、および１０２ｂを、裏板１１０の上下端部に形成されているねじ孔１２１ａ、および１２１ｂに配向させるよう戸体の戸先框に対向する面４０ａに当接させる。さらに、戸体の戸先框に対向する面４０ａ側から、ねじ１４０ａ、および１４０ｂをねじ孔１０２ａ、および１０２ｂへ差し入れつつ、裏板１１０のねじ孔１２１ａ、および１２１ｂへ螺合させる。螺合されることによって、グレモン受け１００と、裏板１１０とは、戸体の戸先框に対向する面４０ａを介して取り付けられ、左縦枠４０に固定される。
【００３４】
グレモン受け１００の係合面１０５は、グレモン受け１００の取り付け面１０３より戸体側（図４（ｃ）においては紙面手前側。）にやや突出して設けられており、図５において説明するように、戸体に設けられている係止片が嵌合できるように形成されている。
【００３５】
図４（ｃ）において明らかであるように、グレモン受け１００、および裏板１１０が戸体の戸先框に対向する面４０ａを介して左縦枠４０に取り付けられていることにより、戸体の戸先框に対向する面４０ａに設けられた孔１０１は完全に覆われる。
【００３６】
よって、戸体が枠体から開けられて戸体の戸先框に対向する面４０ａが外観にさらされた場合においても、孔１０１が隠されているため枠体内部が露呈されることはなく、意匠性に優れている。また、開口部装置付近における水撒きや、戸体の洗浄等の水滴が飛び散る場合においても、孔１０１から枠体内部へ水が侵入するおそれもなく快適に使用することが可能である。
【００３７】
さらに図５には、係止片８０がグレモン受け１００に係合される様子を概略的に示す。係止片８０は、ロッドに固定されている頭部８２付きのピン８３と、ピン８３に回動自在に係合された円筒部８４とによって構成されている。グレモン受け１００には、係止片８０が係合されるための被係止部８５が設けられている。被係止部８５の下部には、下方より上方に斜めに切断された傾斜辺８５ａが係止片８０を枠側に引き寄せるために形成されている。係止片８０は、把手の回動操作により図５に示された矢印方向に移動され、円筒部８４が傾斜辺８５ａに当接されて、さらに被係止部８５に押し上げられつつ戸体を左縦枠９０側へ引き寄せる。係止片８０が被係止部８５の上部へ移動されると、係止片８０の上下方向、および左右方向が固定される。よって、戸体が枠体へと施錠される。
【００３８】
本実施形態において説明したグレモン受け、および裏板は、いずれのグレモン錠においても取り付け可能であるように構成されている。また、図１に示した２箇所だけでなく、必要に応じて取り付け数を変えることができる。また、片開き扉を例として説明したが、これに限定されるものではなく、両開き扉などにおいても取り付け可能である。
【００３９】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００４０】
【図１】片開き扉を室内側から概略的に表した正面図を示す。
【図２】図１おけるII−II線に沿った断面図を示す。
【図３（ａ）】裏板の正面図を示す。
【図３（ｂ）】裏板の左側面図を示す。
【図３（ｃ）】裏板の上面図を示す。
【図４（ａ）】左縦枠に形成された孔を図示する。
【図４（ｂ）】孔に裏板が取り付けられている図を示す。
【図４（ｃ）】図１におけるIV−IV線に沿った断面図を示す。
【図５】係止片がグレモン受けに係合される様子を概略的に表した正面図を示す。
【図６】従来例を示す。
【符号の説明】
【００４１】
１０  上枠
２０  下枠
４０  左縦枠
４０ａ  戸体の戸先框に対向する面
３０  右縦枠
５０  枠体
６０  戸体
７１  把手
７２  ロッド（移動部材）
７３  ロッド（移動部材）
８０、８１  係止片（係止手段）
１００  グレモン受け（被係止手段）
１０１  孔
１１０  裏板（被係止手段）
２００  開口部装置
【図１】
2005061093.tif 000003
【図２】
2005061093.tif 000004
【図３（ａ）】
2005061093.tif 000005
【図３（ｂ）】
2005061093.tif 000006
【図３（ｃ）】
2005061093.tif 000007
【図４（ａ）】
2005061093.tif 000008
【図４（ｂ）】
2005061093.tif 000009
【図４（ｃ）】
2005061093.tif 000010
【図５】
2005061093.tif 000011
【図６】
2005061093.tif 000012